(57)【要約】【課題】ハンドオーバー処理方法、サービング基地局、隣接基地局およびネットワーク通信システムを提供する。【解決手段】本発明の係るハンドオーバー処理方法では、サービング基地局が、移動端末のハンドオーバー要求を受け付けられる隣接基地局からターゲット基地局を選択して、該移動端末に通知し、移動端末のハンドオーバー要求を受け付けられる隣接基地局は、所定のハンドオーバー待ち時間内に該移動端末に対応するハンドオーバー情報を受信した場合、自分がターゲット基地局であると判定し、移動端末のハンドオーバーに協力し、所定のハンドオーバー待ち時間内に該移動端末に対応するハンドオーバー情報を受信していない場合、自分が予備基地局であると判定し、自分が該移動端末のために予約しておくリソース量を低減する。本発明はハンドオーバー成功率を効果的に向上させることができる。【選択図】図２
2010028816.tif 000002
【特許請求の範囲】
【請求項１】
ハンドオーバー処理方法であって、
サービング基地局が、移動端末のハンドオーバー要求を受け付けられる隣接基地局からターゲット基地局を選択して、該移動端末に通知し、
移動端末のハンドオーバー要求を受け付けられる隣接基地局は、所定のハンドオーバー待ち時間内に該移動端末に対応するハンドオーバー情報を受信した場合、自分がターゲット基地局であると判定し、移動端末のハンドオーバーに協力し、所定のハンドオーバー待ち時間内に該移動端末に対応するハンドオーバー情報を受信していない場合、自分が予備基地局であると判定し、自分が該移動端末のために予約しておくリソース量を低減する、
ことを含むことを特徴とする方法。
【請求項２】
前記該移動端末に対応するハンドオーバー情報は、前記移動端末から送信される専用ランダムアクセスのプリアンブルと、サービング基地局からの、ターゲット基地局として選択される旨のメッセージと、サービング基地局から転送される該移動端末のバッファデータとのいずれか１つを含むことを特徴とする請求項１に記載の方法。
【請求項３】
前記自分が該移動端末のために予約しておくリソース量を低減する前に、ハンドオーバー失敗率および／または前記予備基地局の現在セル負荷に基づいて、リソース多重因子を設定することをさらに含み、
前記自分が該移動端末のために予約しておくリソース量を低減することが、該移動端末のために予約しておくリソース量を、元の予約リソース量とリソース多重因子との商に調整することを含む、
ことを特徴とする請求項１または請求項２に記載の方法。
【請求項４】
前記サービング基地局が、移動端末のハンドオーバー要求を受け付けられる隣接基地局からターゲット基地局を選択する前に、サービング基地局が、前記移動端末のハンドオーバー要求を受け付けられる隣接基地局をハンドオーバー候補基地局とし、ハンドオーバー候補基地局情報を記憶することをさらに含み、
前記移動端末のハンドオーバーに協力した後に、
前記移動端末がハンドオーバーに成功したかどうかを判断し、成功した場合、本ハンドオーバー処理プロセスを終了し、失敗した場合、サービング基地局が、記憶されているハンドオーバー候補基地局情報に基づいて、選択されていないハンドオーバー候補基地局からターゲット基地局を再選択して、該移動端末に通知し、ステップａ２を実行するステップａ１と、
前記移動端末が、再選択されたターゲット基地局へランダムアクセスを開始し、前記ステップａ１に戻るステップａ２と、
をさらに含むことを特徴とする請求項１に記載の方法。
【請求項５】
前記ターゲット基地局を選択することが、
サービング基地局が、前記隣接基地局の受信信号パラメータおよび／またはユーザの好みに基づいて、最適な基地局をターゲット基地局として選択する、
ことを含むことを特徴とする請求項１または請求項４に記載の方法。
【請求項６】
前記サービング基地局が、移動端末のハンドオーバー要求を受け付けられる隣接基地局からターゲット基地局を選択する前に、
サービング基地局が、少なくとも１つの隣接基地局へハンドオーバー要求を送信し、
ハンドオーバー要求を受信した隣接基地局が、該ハンドオーバー要求および自身のリソース量に基づいて、該移動端末のハンドオーバー要求を受け付けられることを決定した後、該移動端末のためにリソースを予約しておき、ハンドオーバー要求を受け付ける旨の信号をサービング基地局に送信し、
サービング基地局が、ハンドオーバー要求を受け付ける旨の信号に対応する隣接基地局を、前記移動端末のハンドオーバー要求を受け付けられる隣接基地局とする、
ことをさらに含むことを特徴とする請求項１に記載の方法。
【請求項７】
移動端末のサービス類型と予備基地局の最大数との対応関係を予め設定することをさらに含み、
前記少なくとも１つの隣接基地局へハンドオーバー要求を送信する前に、
サービング基地局が、各隣接セルを受信信号パラメータの降順に並べて、選択された隣接基地局数を０に設定するステップｂ１と、
移動端末がハンドオーバーを要することが決定され、かつ、サービングセルと、受信信号パラメータが最適となる隣接セルとがハンドオーバートリガー条件を満たすことが決定される場合、該受信信号パラメータが最適となる隣接セルに対応する隣接基地局を選択して、選択された隣接基地局数に１を加え、ステップｂ３を実行するステップｂ２と、
選択された隣接基地局数が予備基地局の最大数と１との和より小さいかどうかを判断し、小さい場合、ステップｂ４を実行し、小さくない場合、前記少なくとも１つの隣接基地局へハンドオーバー要求を送信することを実行するステップｂ３と、
受信信号パラメータがサービング基地局で取得されたあらゆる隣接セルを処理完了したかどうかを判断し、処理完了した場合、前記少なくとも１つの隣接基地局へハンドオーバー要求を送信することを実行し、処理完了していない場合、ステップｂ５を実行するステップｂ４と、
次の隣接セルを現在隣接セルとし、現在隣接セルがハンドオーバートリガー条件を満たしたかどうかを判断し、満たした場合、該隣接セルに対応する隣接基地局を選択し、選択された隣接基地局数に１を加え、ステップｂ３に戻り、満たしていない場合、ステップｂ４に戻るステップｂ５と、
をさらに含み、
前記少なくとも１つの隣接基地局へハンドオーバー要求を送信することが、選択された隣接セルに対応する隣接基地局へハンドオーバー要求を送信することを含む、
ことを特徴とする請求項６に記載の方法。
【請求項８】
サービング基地局は移動端末がハンドオーバーに成功したことを決定した後、ターゲット基地局以外のハンドオーバー候補基地局が、該移動端末のために予約しておくリソースを解放することをさらに含むことを特徴とする請求項４、６、７のいずれか１項に記載の方法。
【請求項９】
サービング基地局であって、
隣接基地局とやりとりし、移動端末のハンドオーバー要求を受け付けられる隣接基地局情報を意思決定ユニットに通知し、意思決定ユニットからのターゲット基地局情報を移動端末に送信する通信ユニットと、
移動端末のハンドオーバー要求を受け付けられる隣接基地局からターゲット基地局を選択し、ターゲット基地局情報を通信ユニットに通知する意思決定ユニットと、
を含むことを特徴とするサービング基地局。
【請求項１０】
前記意思決定ユニットが、
通信ユニットから転送された隣接基地局のハンドオーバー要求を受け付ける旨の信号を受信し、ハンドオーバー要求を受け付ける旨の信号に対応する隣接基地局をハンドオーバー候補基地局とし、ハンドオーバー候補基地局情報を記憶ユニットに送信し、ターゲット基地局を選択するよう選択モジュールに通知し、選択モジュールからのターゲット基地局情報を受信し、通信ユニットに対して、移動端末へのターゲット基地局情報の送信を指示し、移動端末がハンドオーバーに失敗したことが決定された後、ターゲット基地局を再選択するよう選択モジュールに通知する制御モジュールと、
ターゲット基地局を選択する旨の制御モジュールからの通知を受信した後、記憶ユニットからハンドオーバー候補基地局情報を読み取り、受信信号パラメータおよび／またはユーザの好みに基づいて、ハンドオーバー候補基地局からターゲット基地局を選択し、ターゲット基地局を再選択する旨の制御モジュールからの通知を受信した後、受信信号パラメータおよび／またはユーザの好みに基づいて、選択されていないハンドオーバー候補基地局からターゲット基地局を再選択し、ターゲット基地局を選択した後、ターゲット基地局情報を制御モジュールに送信する選択モジュールと、
を含み、
該サービング基地局が、ハンドオーバー候補基地局情報を記憶する記憶ユニットをさらに含む、
ことを特徴とする請求項９に記載のサービング基地局。
【請求項１１】
前記制御モジュールが、さらに、通信ユニットから転送された隣接基地局が前記移動端末に割り当てた専用ランダムアクセスのプリアンブルを受信して、前記ハンドオーバー候補基地局情報の１つとすることを特徴とする請求項１０に記載のサービング基地局。
【請求項１２】
前記記憶ユニットが、さらに、前記移動端末から送信された、または、前記移動端末の受信しようとする通信データをバッファし、
前記制御モジュールが、ターゲット基地局を選択した後、記憶ユニットから該通信データを読み取り、通信ユニットに対して、ターゲット基地局への該通信データの送信を指示し、
前記通信ユニットが、制御モジュールから送信された通信データを受信して、ターゲット基地局に送信する、
ことを特徴とする請求項１０に記載のサービング基地局。
【請求項１３】
前記制御モジュールが、さらに、選択モジュールがターゲット基地局を選択した後、ターゲット基地局として選択される旨のメッセージを生成して、通信ユニットに送信し、通信ユニットが、該メッセージをターゲット基地局に送信することを特徴とする請求項１０〜１２のいずれか１項に記載のサービング基地局。
【請求項１４】
前記制御モジュールが、さらに、測定配置情報を生成し、通信ユニットに対して、移動端末への該測定配置情報の送信を指示し、通信ユニットからの、移動端末から報告された隣接セル受信信号パラメータを受信し、隣接セル受信信号パラメータに基づいてハンドオーバー判定を行い、ハンドオーバートリガー条件を満たしたとき、該移動端末がハンドオーバーを要することを決定し、少なくとも１つの隣接基地局に対してハンドオーバー要求を生成し、通信ユニットに対して、対応の隣接基地局へのハンドオーバー要求の送信を指示することを特徴とする請求項１０〜１２のいずれか１項に記載のサービング基地局。
【請求項１５】
前記サービング基地局が、制御モジュールからの移動端末のサービス類型情報を受信し、記憶ユニットからサービス類型と予備基地局の最大数との対応関係を読み取り、該移動端末に対応する予備基地局の最大数を決定して、制御モジュールに送信するパラメータ設定ユニットをさらに含み、
前記記憶ユニットが、さらに、所定のサービス類型と予備基地局の最大数との対応関係、および移動端末に対応する予備基地局の最大数を記憶し、
前記制御モジュールが、さらに、移動端末のサービス類型情報を決定し、パラメータ設定ユニットからの、移動端末に対応する予備基地局の最大数を受信し、予備基地局の最大数と１との和に等しい個数の隣接基地局へハンドオーバー要求を送信するよう通信ユニットに通知する、
ことを特徴とする請求項１４に記載のサービング基地局。
【請求項１６】
前記制御モジュールが、さらに、移動端末がハンドオーバーに成功したことを決定した後、予約リソースを解放する旨の通知を生成し、通信ユニットに対して、ターゲット基地局以外のハンドオーバー候補基地局への該通知の送信を指示し、
前記通信ユニットが、制御モジュールの指示で、該移動端末のために予約しておくリソースを解放するようターゲット基地局以外のハンドオーバー候補基地局に通知する、
ことを特徴とする請求項１０〜１２のいずれか１項に記載のサービング基地局。
【請求項１７】
サービング基地局の隣接基地局であって、
外部からの移動端末に対応するハンドオーバー情報を受信する通信ユニットと
所定のハンドオーバー待ち時間に従って時間の計測を行い、時間の計測が完了したとき、意思決定ユニットに通知するクロックユニットと、
所属する隣接基地局が所定のハンドオーバー待ち時間内に移動端末に対応するハンドオーバー情報を受信したかどうかを決定し、受信した場合、該隣接基地局がターゲット基地局であると判定し、移動端末と協力して該隣接基地局にハンドオーバーするよう通信ユニットに通知し、受信していない場合、該隣接基地局が予備基地局であると判定し、該移動端末のために予約しておくリソース量を低減する意思決定ユニットと、
を含むことを特徴とする隣接基地局。
【請求項１８】
前記意思決定ユニットが、
該移動端末のハンドオーバー要求を受け付けられることを決定した後、該移動端末のためにリソースを予約しておくようリソース管理モジュールに通知し、通信ユニットに対して、ハンドオーバー要求を受け付ける旨の信号をサービング基地局に送信するよう指示し、かつ、クロックユニットに対して、該ハンドオーバー要求に対応するクロックをスタートするよう指示し、該ハンドオーバー要求に対応するクロックで時間の計測を終了する前に、制御モジュールが移動端末に対応するハンドオーバー情報を受信した場合、所属する隣接基地局がターゲット基地局であると判定し、移動端末のハンドオーバーに協力するよう通信ユニットに通知し、制御モジュールが移動端末に対応するハンドオーバー情報を受信していない場合、所属する隣接基地局が予備基地局であると判定し、該移動端末のために予約しておくリソース量を低減するようリソース管理モジュールに通知する制御モジュールと、
制御モジュールの通知で、移動端末のためにリソースを予約しておき、移動端末のために予約しておくリソース量を低減するリソース管理モジュールと、
を含むことを特徴とする請求項１７に記載の隣接基地局。
【請求項１９】
所属する隣接基地局の現在セル負荷を計算し、計算結果を制御モジュールに送信する負荷計算ユニットをさらに含み、
前記通信ユニットが、さらに、外部からのハンドオーバー失敗率を受信して、制御モジュールに転送し、
前記制御モジュールが、受信した現在セル負荷およびハンドオーバー失敗率に基づいて、リソース多重因子を決定して、リソース管理モジュールに送信し、
前記リソース管理モジュールが、予約しておくリソース量を低減する旨の制御モジュールからの通知を受信した後、該移動端末のために予約しておくリソース量を、元の予約リソース量とリソース多重因子との商に調整する、
ことを特徴とする請求項１８に記載の隣接基地局。
【請求項２０】
前記通信ユニットが、さらに、サービング基地局からのハンドオーバー要求を受信し、該ハンドオーバー要求を意思決定ユニット内の制御モジュールに転送し、
前記制御モジュールが、通信ユニットから転送されたハンドオーバー要求を受信し、リソース管理モジュールから所属する隣接基地局のリソース量を取得し、該ハンドオーバー要求および取得された隣接基地局のリソース量に基づいて、該移動端末のハンドオーバー要求を受け付けられるかどうかを決定する、
ことを特徴とする請求項１８または１９に記載の隣接基地局。
【請求項２１】
前記制御モジュールが、該移動端末のハンドオーバー要求を受け付けられることを決定した後、さらに、該移動端末に専用ランダムアクセスのプリアンブルを割り当てて、通信ユニットに送信し、
前記通信ユニットが、前記ハンドオーバー要求を受け付ける旨の信号に前記専用ランダムアクセスのプリアンブルを付加して、サービング基地局に送信する、
ことを特徴とする請求項１８または１９に記載の隣接基地局。
【請求項２２】
前記制御モジュールが、所属する隣接基地局がターゲット基地局であると決定した後、移動端末から該隣接基地局へのアクセスに成功したことを決定する場合、通信ユニットに対して、ランダムアクセスに成功する旨をサービング基地局に通知するよう指示することを特徴とする請求項１８または１９に記載の隣接基地局。
【請求項２３】
前記通信モジュールが、さらに、前記移動端末のために予約しておくリソースを解放する旨のサービング基地局からの通知を受信して、前記意思決定ユニット内の制御モジュールに転送し、
前記制御モジュールが、前記移動端末のために予約しておくリソースを解放するようリソース管理モジュールに通知する、
ことを特徴とする請求項１８または１９に記載の隣接基地局。
【請求項２４】
ネットワーク通信システムであって、
移動端末のハンドオーバー要求を受け付けられる隣接基地局からターゲット基地局を選択して、該移動端末に通知するサービング基地局と、
所定のハンドオーバー待ち時間内に該移動端末に対応するハンドオーバー情報を受信した場合、自分がターゲット基地局であると判定し、移動端末と協力して自分にハンドオーバーし、所定のハンドオーバー待ち時間内に該移動端末に対応するハンドオーバー情報を受信していない場合、自分が予備基地局であると判定し、自分が該移動端末のために予約しておくリソース量を低減する隣接基地局と、
を含むことを特徴とするネットワーク通信システム。
【発明の詳細な説明】
【技術分野】
【０００１】
本発明は移動通信におけるハンドオーバー技術に関し、特に、ハンドオーバー処理方法、サービング基地局、隣接基地局、および移動通信におけるネットワーク通信システムに関する。
【背景技術】
【０００２】
移動通信システムにおいて、移動端末が、あるセルから離れて、他のセルに入るとき、移動元のセルから受信された信号は必ずますます弱くなるが、移動先のセルから受信された信号はますます強くなる。ＵＥの通信品質を確保し、接続状態となるユーザの移動性管理を実現するために、移動端末を元の基地局から信号のより強い基地局にハンドオーバーさせ、即ち、サービングセルからターゲットセルへハンドオーバーさせることができる。通常、ハンドオーバー前に移動端末にサービスを提供する基地局はサービング基地局と呼ばれ、ハンドオーバー後に移動端末にサービスを提供する基地局はターゲット基地局と呼ばれる。
【０００３】
各種類の移動通信システムでは、それぞれのハンドオーバールールを用いて移動端末のハンドオーバーを実現することができる。ＬＴＥ（Ｌｏｎｇｔｉｍｅ  Ｅｖｏｌｕｔｉｏｎ）システムを例にすると、移動端末のハンドオーバーは、以下の通りである。
【０００４】
サービング基地局は、隣接セルの基準信号受信電力（ＲＳＲＰ：Ｒｅｆｅｒｅｎｃｅ  Ｓｉｇｎａｌ  Ｒｅｃｅｉｖｅｄ  Ｐｏｗｅｒ）、基準信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）または他の受信信号パラメータに基づいて、各隣接セルからターゲットセルを選択し、選択されたターゲットセルへハンドオーバー要求を送信して、ターゲットセル内のターゲット基地局からフィードバックされた、ハンドオーバー要求を受け付ける旨の信号を受信してから、ハンドオーバーを行うよう移動端末に通知し、移動端末はランダムアクセスの方式でターゲット基地局との接続を確立する。
【０００５】
しかし、ターゲット基地局において移動端末がサービス権限を有しない場合、またはターゲット基地局の負荷が比較的に大きい場合、ターゲット基地局が、ハンドオーバー要求を受け付ける旨の信号をサービング基地局にフィードバックしないことは、ハンドオーバー失敗につながる。また、複数の移動端末が同一のターゲット基地局へランダムアクセスを同時に開始する場合、即ちランダムアクセスの衝突が発生する場合、または移動端末に記憶されたターゲット基地局のシステム情報が失効になる場合に、移動端末からターゲット基地局へのランダムアクセスの失敗も、ハンドオーバー失敗につながる。
【０００６】
ハンドオーバーをなるべく早く回復させ、移動端末が享受するサービスを引き続けるために、現在、ＬＴＥにおいて、予備基地局に基づくハンドオーバー処理方法が提出されている。該方法では、移動端末は適切なセルを選択して、該セル基地局との無線リソース制御（ＲＲＣ：Ｒａｄｉｏ  Ｒｅｓｏｕｒｃｅ  Ｃｏｎｔｒｏｌ）接続を確立する。該適切なセル基地局がサービング基地局、ターゲット基地局または予備基地局である場合、ＲＲＣ接続の確立に成功することで、ハンドオーバー失敗に対する回復に成功する。該適切なセル基地局が上記３種類以外の基地局である場合、適切なセル基地局に移動端末のコンテキストがないことが表されるため、ＲＲＣ接続の確立に失敗し、ハンドオーバー失敗に対する回復ができない。
【０００７】
図１は従来のＬＴＥにおけるハンドオーバー処理方法のフローチャートを示す。図１を参照すると、該方法は下記のステップを含む。
【０００８】
ステップ１０１で、サービング基地局は測定配置情報を移動端末に送信し、移動端末は、測定によって得られた隣接セルのＲＳＲＰをサービング基地局に報告する。
【０００９】
本ステップでは、サービング基地局から移動端末へ送信された測定配置情報は、少なくとも測定セル対象、測定パラメータ、および測定報告セル対象などを含む。ここで、測定セル対象および測定報告セル対象は、いずれも該サービング基地局に対応するセルの隣接セルであり、動作搬送周波数や無線アクセス技術などに限られず、各種類のセルであってもよい。そして、測定セル対象数は測定報告セル対象数以上であってよい。
【００１０】
移動端末は、受信された測定配置情報に基づいて測定セル対象に対して測定を行ってから、報告を要するセル即ち測定報告セル対象に対応するＲＳＲＰをサービング基地局に報告する。ここで、移動端末は測定セル対象のＲＳＲＱなどの指標に対して測定を行って、得られたＲＳＲＱを報告するようにしてもよい。
【００１１】
ステップ１０２では、サービング基地局はハンドオーバー判定を行って、現在の状況がハンドオーバートリガー条件を満たしたと判定する場合、ステップ１０３を実行する。
【００１２】
例を挙げて説明すると、測定セル対象が同一周波数のセルである場合、サービングセルのＲＳＲＰが所定のサービングセルＲＳＲＰ閾値より低いと共に、隣接セルのＲＳＲＰが所定の隣接セルＲＳＲＰ閾値より高いことや、隣接セルのＲＳＲＰがサービングセルのＲＳＲＰより大きい分が所定のＲＳＲＰの差の閾値を越えることなどのいずれかが発生するとき、サービング基地局は現在の状況がハンドオーバートリガー条件を満たしたと判定でき、この後、後続のステップでハンドオーバーを引き続き行う。サービング基地局は現在の状況がハンドオーバー条件を満たしていないと判定するとき、本プロセスを終了する。測定セル対象が異周波数のセルである場合、サービング基地局はハンドオーバー判定過程中に異周波数のヒステリシス値などを考慮する必要がある。
【００１３】
ステップ１０３〜１０４で、サービング基地局は各隣接基地局へハンドオーバー要求を送信し、ハンドオーバー要求を受信した各隣接基地局は、該移動端末がアクセス可能であることを決定する場合、ハンドオーバー要求を受け付ける旨の信号をサービング基地局にフィードバックして、ハンドオーバーの準備を行う。
【００１４】
サービング基地局は、各隣接基地局へハンドオーバー要求を送信する際に、該移動端末に対応するユーザサービス類型やユーザ識別子などのような移動端末のコンテキスト情報を付加する。
【００１５】
サービング基地局からのハンドオーバー要求を受信した隣接基地局は、サービス権限や負荷などのアクセス制御ルールに基づいてアクセス判定を行い、該移動端末のハンドオーバー要求を受け付けられることを決定する場合、移動端末のためにアイドルのランダムアクセスのプリアンブルを割り当てる方式や、該移動端末のためにデータリソースを予約しておく方式などで、ハンドオーバーの準備を行う。
【００１６】
ステップ１０５で、サービング基地局は、ハンドオーバー要求を受け付ける旨の信号に対応する隣接基地局情報を、予備基地局情報として自身に記憶し、その中からターゲット基地局を選択して、ターゲット基地局情報が付加されているハンドオーバー指示を移動端末に送信する。
【００１７】
サービング基地局に記憶された予備基地局情報は、該基地局に対応するセル識別子であってよい。その後、サービング基地局は、ＲＳＲＰ最大のルールまたはユーザの好みのルールに基づいて、予備基地局からターゲット基地局を選択し、例えば、予備基地局１がターゲット基地局として選択される。
【００１８】
ステップ１０６で、移動端末はターゲット基地局に対して開始したランダムアクセスに失敗する。
【００１９】
ステップ１０７で、移動端末は隣接セルから適切なセルを選択する。
【００２０】
本ステップでは、移動端末は測定などの手段でセル選択を行う。移動端末は、上記ステップ１０６でターゲット基地局へのアクセスに成功しなかったため、自分の配置情報をターゲット基地局に対応する配置情報に更新することなく、この前にサービング基地局が移動端末のために設定した配置情報を保持する。
【００２１】
ステップ１０８で、移動端末は、選択された適切なセルの基地局とのＲＲＣ接続を確立し、ＲＲＣ接続の確立に成功した後、ハンドオーバーを終了する。
【００２２】
移動端末により選択された適切なセルに対応する基地局が予備基地局に属する場合、該基地局に該移動端末のコンテキスト情報が記憶されている可能性は比較的に大きくて、ランダムアクセスに成功した確率は比較的に高い。このため、望ましい状況は、予備基地局が適切なセルの基地局として選択されることであり、例えば、予備基地局２をこの時のターゲット基地局とすることである。
【００２３】
ここまで、従来の予備基地局に基づくハンドオーバー処理プロセスが完了する。
【発明の概要】
【発明が解決しようとする課題】
【００２４】
上記の予備基地局に基づくハンドオーバー処理プロセスでは、初期段階でサービング基地局は複数の隣接基地局へハンドオーバー要求を同時に送信し、ハンドオーバー要求を受信した隣接基地局はアクセス判定によって、自分が移動端末のハンドオーバー要求を受け付けられることを決定する場合、ハンドオーバー要求を受け付ける旨の信号をサービング基地局にフィードバックする。そして、これらの隣接基地局の内部でいずれも移動端末のために一部のリソースを予約しておき、該予備基地局が該移動端末にターゲット基地局として選択された場合のみに、該予約リソースは本当に使用される。隣接基地局は、同時に複数の移動端末のハンドオーバーを待ち、即ち複数の移動端末のために予約リソースを準備したのであれば、自分の使用可能なリソースが少なくなる。
【００２５】
このように、新しいハンドオーバー要求がある場合、十分なリソースを提供することができないことでアクセス制御に失敗してしまう恐れがある。これにより、移動端末のハンドオーバー成功率が低くなってしまう。一方、予備基地局は、移動端末がターゲット基地局へのハンドオーバーに成功したかどうかを知ることができず、サービング基地局も予約リソースを解放するよう予備基地局に通知していない。予備基地局は移動端末に対応する予約リソースを一方的に解放すると、その後に該移動端末が予備基地局にハンドオーバーできなくなる。これも移動端末のハンドオーバー成功率に影響を与える。
【課題を解決するための手段】
【００２６】
本発明は、ハンドオーバー成功率を向上させることができるハンドオーバー処理方法を提供している。
【００２７】
本発明に係るハンドオーバー処理方法は、
サービング基地局が、移動端末のハンドオーバー要求を受け付けられる隣接基地局からターゲット基地局を選択して、該移動端末に通知し、
移動端末のハンドオーバー要求を受け付けられる隣接基地局は、所定のハンドオーバー待ち時間内に該移動端末に対応するハンドオーバー情報を受信した場合、自分がターゲット基地局であると判定し、移動端末のハンドオーバーに協力し、所定のハンドオーバー待ち時間内に該移動端末に対応するハンドオーバー情報を受信していない場合、自分が予備基地局であると判定し、自分が該移動端末のために予約しておくリソース量を低減する、ことを含む。
【００２８】
好ましくは、前記該移動端末に対応するハンドオーバー情報は、前記移動端末から送信される専用ランダムアクセスのプリアンブルと、サービング基地局からの、ターゲット基地局として選択される旨のメッセージと、サービング基地局から転送される該移動端末のバッファデータとのいずれか１つを含む。
【００２９】
好ましくは、該方法は、前記自分が該移動端末のために予約しておくリソース量を低減する前に、ハンドオーバー失敗率および／または前記予備基地局の現在セル負荷に基づいて、リソース多重因子を設定することをさらに含み、
前記自分が該移動端末のために予約しておくリソース量を低減することが、該移動端末のために予約しておくリソース量を、元の予約リソース量とリソース多重因子との商に調整することを含む。
【００３０】
好ましくは、該方法は、前記サービング基地局が、移動端末のハンドオーバー要求を受け付けられる隣接基地局からターゲット基地局を選択する前に、サービング基地局が、前記移動端末のハンドオーバー要求を受け付けられる隣接基地局をハンドオーバー候補基地局とし、ハンドオーバー候補基地局情報を記憶することをさらに含み、
前記移動端末のハンドオーバーに協力した後に、
前記移動端末がハンドオーバーに成功したかどうかを判断し、成功した場合、本ハンドオーバー処理プロセスを終了し、失敗した場合、サービング基地局が、記憶されているハンドオーバー候補基地局情報に基づいて、選択されていないハンドオーバー候補基地局からターゲット基地局を再選択して、該移動端末に通知し、ステップａ２を実行するステップａ１と、
前記移動端末が、再選択されたターゲット基地局へランダムアクセスを開始し、前記ステップａ１に戻るステップａ２と、をさらに含む。
【００３１】
好ましくは、前記ターゲット基地局を選択することが、
サービング基地局が、前記隣接基地局の受信信号パラメータおよび／またはユーザの好みに基づいて、最適な基地局をターゲット基地局として選択する、ことを含む。
【００３２】
好ましくは、該方法は、前記サービング基地局が、移動端末のハンドオーバー要求を受け付けられる隣接基地局からターゲット基地局を選択する前に、
サービング基地局が、少なくとも１つの隣接基地局へハンドオーバー要求を送信し、
ハンドオーバー要求を受信した隣接基地局が、該ハンドオーバー要求および自身のリソース量に基づいて、該移動端末のハンドオーバー要求を受け付けられることを決定した後、該移動端末のためにリソースを予約しておき、ハンドオーバー要求を受け付ける旨の信号をサービング基地局に送信し、
サービング基地局が、ハンドオーバー要求を受け付ける旨の信号に対応する隣接基地局を、前記移動端末のハンドオーバー要求を受け付けられる隣接基地局とする、ことをさらに含む。
【００３３】
好ましくは、該方法は、移動端末のサービス類型と予備基地局の最大数との対応関係を予め設定することをさらに含み、
前記少なくとも１つの隣接基地局へハンドオーバー要求を送信する前に、
サービング基地局が、各隣接セルを受信信号パラメータの降順に並べて、選択された隣接基地局数を０に設定するステップｂ１と、
移動端末がハンドオーバーを要することが決定され、かつ、サービングセルと、受信信号パラメータが最適となる隣接セルとがハンドオーバートリガー条件を満たすことが決定される場合、該受信信号パラメータが最適となる隣接セルに対応する隣接基地局を選択して、選択された隣接基地局数に１を加え、ステップｂ３を実行するステップｂ２と、
選択された隣接基地局数が予備基地局の最大数と１との和より小さいかどうかを判断し、小さい場合、ステップｂ４を実行し、小さくない場合、前記少なくとも１つの隣接基地局へハンドオーバー要求を送信することを実行するステップｂ３と、
受信信号パラメータがサービング基地局で取得されたあらゆる隣接セルを処理完了したかどうかを判断し、処理完了した場合、前記少なくとも１つの隣接基地局へハンドオーバー要求を送信することを実行し、処理完了していない場合、ステップｂ５を実行するステップｂ４と、
次の隣接セルを現在隣接セルとし、現在隣接セルがハンドオーバートリガー条件を満たしたかどうかを判断し、満たした場合、該隣接セルに対応する隣接基地局を選択し、選択された隣接基地局数に１を加え、ステップｂ３に戻り、満たしていない場合、ステップｂ４に戻るステップｂ５と、
をさらに含み、
前記少なくとも１つの隣接基地局へハンドオーバー要求を送信することが、選択された隣接セルに対応する隣接基地局へハンドオーバー要求を送信することを含む。
【００３４】
好ましくは、該方法は、サービング基地局は移動端末がハンドオーバーに成功したことを決定した後、ターゲット基地局以外のハンドオーバー候補基地局が、該移動端末のために予約しておくリソースを解放することをさらに含む。
【００３５】
また、本発明は、ハンドオーバー成功率を向上させることができるサービング基地局を提供している。
【００３６】
本発明に係るサービング基地局は、
隣接基地局とやりとりし、移動端末のハンドオーバー要求を受け付けられる隣接基地局情報を意思決定ユニットに通知し、意思決定ユニットからのターゲット基地局情報を移動端末に送信する通信ユニットと、
移動端末のハンドオーバー要求を受け付けられる隣接基地局からターゲット基地局を選択し、ターゲット基地局情報を通信ユニットに通知する意思決定ユニットと、を含む。
【００３７】
好ましくは、前記意思決定ユニットが、
通信ユニットから転送された隣接基地局のハンドオーバー要求を受け付ける旨の信号を受信し、ハンドオーバー要求を受け付ける旨の信号に対応する隣接基地局をハンドオーバー候補基地局とし、ハンドオーバー候補基地局情報を記憶ユニットに送信し、ターゲット基地局を選択するよう選択モジュールに通知し、選択モジュールからのターゲット基地局情報を受信し、通信ユニットに対して、移動端末へのターゲット基地局情報の送信を指示し、移動端末がハンドオーバーに失敗したことが決定された後、ターゲット基地局を再選択するよう選択モジュールに通知する制御モジュールと、
ターゲット基地局を選択する旨の制御モジュールからの通知を受信した後、記憶ユニットからハンドオーバー候補基地局情報を読み取り、受信信号パラメータおよび／またはユーザの好みに基づいて、ハンドオーバー候補基地局からターゲット基地局を選択し、ターゲット基地局を再選択する旨の制御モジュールからの通知を受信した後、受信信号パラメータおよび／またはユーザの好みに基づいて、選択されていないハンドオーバー候補基地局からターゲット基地局を再選択し、ターゲット基地局を選択した後、ターゲット基地局情報を制御モジュールに送信する選択モジュールと、
を含み、
該サービング基地局が、ハンドオーバー候補基地局情報を記憶する記憶ユニットをさらに含む。
【００３８】
好ましくは、前記制御モジュールが、さらに、通信ユニットから転送された隣接基地局が前記移動端末に割り当てた専用ランダムアクセスのプリアンブルを受信して、前記ハンドオーバー候補基地局情報の１つとする。
【００３９】
好ましくは、前記記憶ユニットが、さらに、前記移動端末から送信された、または、前記移動端末の受信しようとする通信データをバッファし、
前記制御モジュールが、ターゲット基地局を選択した後、記憶ユニットから該通信データを読み取り、通信ユニットに対して、ターゲット基地局への該通信データの送信を指示し、
前記通信ユニットが、制御モジュールから送信された通信データを受信して、ターゲット基地局に送信する。
【００４０】
好ましくは、前記制御モジュールが、さらに、選択モジュールがターゲット基地局を選択した後、ターゲット基地局として選択される旨のメッセージを生成して、通信ユニットに送信し、通信ユニットが、該メッセージをターゲット基地局に送信する。
【００４１】
好ましくは、前記制御モジュールが、さらに、測定配置情報を生成し、通信ユニットに対して、移動端末への該測定配置情報の送信を指示し、通信ユニットからの、移動端末から報告された隣接セル受信信号パラメータを受信し、隣接セル受信信号パラメータに基づいてハンドオーバー判定を行い、ハンドオーバートリガー条件を満たしたとき、該移動端末がハンドオーバーを要することを決定し、少なくとも１つの隣接基地局に対してハンドオーバー要求を生成し、通信ユニットに対して、対応の隣接基地局へのハンドオーバー要求の送信を指示する。
【００４２】
好ましくは、前記サービング基地局が、制御モジュールからの移動端末のサービス類型情報を受信し、記憶ユニットからサービス類型と予備基地局の最大数との対応関係を読み取り、該移動端末に対応する予備基地局の最大数を決定して、制御モジュールに送信するパラメータ設定ユニットをさらに含み、
前記記憶ユニットが、さらに、所定のサービス類型と予備基地局の最大数との対応関係、および移動端末に対応する予備基地局の最大数を記憶し、
前記制御モジュールが、さらに、移動端末のサービス類型情報を決定し、パラメータ設定ユニットからの、移動端末に対応する予備基地局の最大数を受信し、予備基地局の最大数と１との和に等しい個数の隣接基地局へハンドオーバー要求を送信するよう通信ユニットに通知する。
【００４３】
好ましくは、前記制御モジュールが、さらに、移動端末がハンドオーバーに成功したことを決定した後、予約リソースを解放する旨の通知を生成し、通信ユニットに対して、ターゲット基地局以外のハンドオーバー候補基地局への該通知の送信を指示し、
前記通信ユニットが、制御モジュールの指示で、該移動端末のために予約しておくリソースを解放するようターゲット基地局以外のハンドオーバー候補基地局に通知する。
【００４４】
また、本発明は、ハンドオーバー成功率を向上させる隣接基地局を提供している。
【００４５】
本発明に係る隣接基地局は、
外部からの移動端末に対応するハンドオーバー情報を受信する通信ユニットと
所定のハンドオーバー待ち時間に従って時間の計測を行い、時間の計測が完了したとき、意思決定ユニットに通知するクロックユニットと、
所属する隣接基地局が所定のハンドオーバー待ち時間内に移動端末に対応するハンドオーバー情報を受信したかどうかを決定し、受信した場合、該隣接基地局がターゲット基地局であると判定し、移動端末と協力して該隣接基地局にハンドオーバーするよう通信ユニットに通知し、受信していない場合、該隣接基地局が予備基地局であると判定し、該移動端末のために予約しておくリソース量を低減する意思決定ユニットと、を含む。
【００４６】
好ましくは、前記意思決定ユニットが、
該移動端末のハンドオーバー要求を受け付けられることを決定した後、該移動端末のためにリソースを予約しておくようリソース管理モジュールに通知し、通信ユニットに対して、ハンドオーバー要求を受け付ける旨の信号をサービング基地局に送信するよう指示し、かつ、クロックユニットに対して、該ハンドオーバー要求に対応するクロックをスタートするよう指示し、該ハンドオーバー要求に対応するクロックで時間の計測を終了する前に、制御モジュールが移動端末に対応するハンドオーバー情報を受信した場合、所属する隣接基地局がターゲット基地局であると判定し、移動端末のハンドオーバーに協力するよう通信ユニットに通知し、制御モジュールが移動端末に対応するハンドオーバー情報を受信していない場合、所属する隣接基地局が予備基地局であると判定し、該移動端末のために予約しておくリソース量を低減するようリソース管理モジュールに通知する制御モジュールと、
制御モジュールの通知で、移動端末のためにリソースを予約しておき、移動端末のために予約しておくリソース量を低減するリソース管理モジュールと、を含む。
【００４７】
好ましくは、前記隣接基地局は、所属する隣接基地局の現在セル負荷を計算し、計算結果を制御モジュールに送信する負荷計算ユニットをさらに含み、
前記通信ユニットが、さらに、外部からのハンドオーバー失敗率を受信して、制御モジュールに転送し、
前記制御モジュールが、受信した現在セル負荷およびハンドオーバー失敗率に基づいて、リソース多重因子を決定して、リソース管理モジュールに送信し、
前記リソース管理モジュールが、予約しておくリソース量を低減する旨の制御モジュールからの通知を受信した後、該移動端末のために予約しておくリソース量を、元の予約リソース量とリソース多重因子との商に調整する。
【００４８】
好ましくは、前記通信ユニットが、さらに、サービング基地局からのハンドオーバー要求を受信し、該ハンドオーバー要求を意思決定ユニット内の制御モジュールに転送し、
前記制御モジュールが、通信ユニットから転送されたハンドオーバー要求を受信し、リソース管理モジュールから所属する隣接基地局のリソース量を取得し、該ハンドオーバー要求および取得された隣接基地局のリソース量に基づいて、該移動端末のハンドオーバー要求を受け付けられるかどうかを決定する。
【００４９】
好ましくは、前記制御モジュールが、該移動端末のハンドオーバー要求を受け付けられることを決定した後、さらに、該移動端末に専用ランダムアクセスのプリアンブルを割り当てて、通信ユニットに送信し、
前記通信ユニットが、前記ハンドオーバー要求を受け付ける旨の信号に前記専用ランダムアクセスのプリアンブルを付加して、サービング基地局に送信する。
【００５０】
好ましくは、前記制御モジュールが、所属する隣接基地局がターゲット基地局であると決定した後、移動端末から該隣接基地局へのアクセスに成功したことを決定する場合、通信ユニットに対して、ランダムアクセスに成功する旨をサービング基地局に通知するよう指示する。
【００５１】
好ましくは、前記通信モジュールが、さらに、前記移動端末のために予約しておくリソースを解放する旨のサービング基地局からの通知を受信して、前記意思決定ユニット内の制御モジュールに転送し、
前記制御モジュールが、前記移動端末のために予約しておくリソースを解放するようリソース管理モジュールに通知する。
【００５２】
また、本発明は、ハンドオーバー成功率を向上させることができるネットワーク通信システムを提供している。
【００５３】
本発明に係るネットワーク通信システムは、
移動端末のハンドオーバー要求を受け付けられる隣接基地局からターゲット基地局を選択して、該移動端末に通知するサービング基地局と、
所定のハンドオーバー待ち時間内に該移動端末に対応するハンドオーバー情報を受信した場合、自分がターゲット基地局であると判定し、移動端末と協力して自分にハンドオーバーし、所定のハンドオーバー待ち時間内に該移動端末に対応するハンドオーバー情報を受信していない場合、自分が予備基地局であると判定し、自分が該移動端末のために予約しておくリソース量を低減する隣接基地局と、を含む。
【発明の効果】
【００５４】
上記解決手段からわかるように、本発明では、移動端末のハンドオーバー要求を受け付けられる隣接基地局は、所定のハンドオーバー待ち時間内に移動端末に対応するハンドオーバー情報を受信したかどうかを判断することによって、自分が該移動端末の今回のハンドオーバーのターゲット基地局または予備基地局であると決定する。そして、自分が予備基地局である場合、この時、移動端末からアクセスすることがないため、該移動端末のために予約しておくリソース量を低減することで、解放された一部のリソースを、予約リソースとして他の移動端末に用い、またはセルの取得可能なリソースとする。
【００５５】
このように、隣接基地局はハンドオーバーに対する自分の役割を明確に区分し、自分の役目に基づいてリソース割当方式を調整することができることにより、リソース割当の合理性をさらに向上させる。隣接基地局は、同時に複数の移動端末の予備基地局としても、その予約リソースが、従来のハンドオーバー方法における予備基地局の予約リソースよりはるかに小さくなる。これにより、セルの取得可能なリソースを効果的に向上させることができ、さらに、移動端末から該基地局へのアクセス成功率を明らかに向上させ、即ち、移動端末のハンドオーバー成功率を向上させる。
【図面の簡単な説明】
【００５６】
【図１】従来のＬＴＥにおけるハンドオーバー処理方法のフローチャートである。
【図２】本発明に係るハンドオーバー処理方法の例示的なフローチャートである。
【図３】本発明に係るネットワーク通信システムの例示的な構成図である。
【図４】本発明の実施例に係るハンドオーバー処理方法のフローチャートである。
【図５】本発明の実施例に係るサービング基地局の構成を示す図である。
【図６】本発明の実施例に係る隣接基地局の構成を示す図である。
【図７】従来のハンドオーバー処理方法と本実施例の図４のハンドオーバー処理方法とのハンドオーバー成功率のシミュレーション図である。
【図８】従来のハンドオーバー処理方法と本実施例に係る予備基地局数への制限を考慮したハンドオーバー処理方法とのハンドオーバー成功率のシミュレーション図である。
【発明を実施するための形態】
【００５７】
本発明の目的、解決手段をさらに明確にするために、以下、図面を参照して実施例を挙げながら、本発明をさらに詳しく説明する。
【００５８】
本発明では、ハンドオーバー待ち時間を予め設定し、各基地局は、該ハンドオーバー待ち時間内のハンドオーバー情報のフィードバック状況に基づいて、自分がターゲット基地局または予備基地局であると決定し、予備基地局である場合、自分が移動端末のために予約しておくリソース量を低減する。
【００５９】
図２は本発明に係るハンドオーバー処理方法の例示的なフローチャートを示す。図２を参照すると、該方法は下記のステップを含む。
【００６０】
ステップ２０１で、サービング基地局は、移動端末のハンドオーバー要求を受け付けられる隣接基地局からターゲット基地局を選択して、該移動端末に通知する。
【００６１】
ステップ２０２で、移動端末のハンドオーバー要求を受け付けられる隣接基地局は、所定のハンドオーバー待ち時間内に該移動端末に対応するハンドオーバー情報を受信した場合、自分がターゲット基地局であると判定し、移動端末と協力して自分にハンドオーバーし、所定のハンドオーバー待ち時間内に該移動端末に対応するハンドオーバー情報を受信していない場合、自分が予備基地局であると判定し、自分が該移動端末のために予約しておくリソース量を低減する。
【００６２】
本発明における移動端末とは、ハンドオーバーを要するとサービング基地局により判定される移動端末を指す。ここで、ハンドオーバー情報は、移動端末からの専用ランダムアクセスのプリアンブル、またはサービング基地局からの、ターゲット基地局として選択される旨のメッセージであってもよく、サービング基地局からのバッファデータであってもよい。
【００６３】
図３は本発明に係るネットワーク通信システムの例示的な構成を示す。図３を参照すると、該ネットワーク通信システムは、サービング基地局と、隣接基地局と、を含む。
【００６４】
ここで、サービング基地局は、移動端末のハンドオーバー要求を受け付けられる隣接基地局からターゲット基地局を選択して、該移動端末に通知する。隣接基地局は、所定のハンドオーバー待ち時間内に移動端末に対応するハンドオーバー情報を受信した場合、自分がターゲット基地局であると判定し、移動端末と協力して自分にハンドオーバーし、所定のハンドオーバー待ち時間内に移動端末に対応するハンドオーバー情報を受信していない場合、自分が予備基地局であると判定し、自分が該移動端末のために予約しておくリソース量を低減する。
【００６５】
本発明では、移動端末のハンドオーバー要求を受け付けられる隣接基地局は、所定のハンドオーバー待ち時間内に移動端末に対応するハンドオーバー情報を受信したかどうかを判断することによって、自分が該移動端末の今回のハンドオーバーのターゲット基地局または予備基地局であると決定する。そして、自分が予備基地局である場合、この時、移動端末からアクセスすることがないため、該移動端末のために予約しておくリソース量を低減することで、解放された一部のリソースを、予約リソースとして他の移動端末に用い、またはセルの取得可能なリソースとする。
【００６６】
このように、隣接基地局はハンドオーバーに対する自分の役割を明確に区分し、自分の役目に基づいてリソース割当方式を調整することができることにより、リソース割当の合理性をさらに向上させる。隣接基地局は、同時に複数の移動端末の予備基地局としても、その予約リソースが、従来のハンドオーバー方法における予備基地局の予約リソースよりはるかに小さくなる。これにより、セルの取得可能なリソースを効果的に向上させることができ、さらに、移動端末から該基地局へのアクセス成功率を明らかに向上させ、即ち、移動端末のハンドオーバー成功率を向上させる。
【００６７】
以下、本発明に係るハンドオーバー処理方法を詳しく説明する。
【００６８】
本実施例では、各隣接基地局においていずれもハンドオーバー待ちクロックを設定し、その最大の時間計測量は所定のハンドオーバー待ち時間である。
【００６９】
図４は本実施例に係るハンドオーバー処理方法のフローチャートを示す。図４を参照すると、該方法は下記のステップを含む。
【００７０】
ステップ４０１〜４０２で、サービング基地局は測定配置情報を移動端末に送信し、移動端末は、測定によって得られた隣接セルのＲＳＲＰをサービング基地局に報告し、サービング基地局は、ハンドオーバー判定を行い、現在の状況がハンドオーバートリガー条件を満たした場合、該移動端末がハンドオーバーを要することを決定し、ステップ４０３を実行し、現在の状況がハンドオーバートリガー条件を満たしていない場合、本ハンドオーバー処理プロセスを終了する。
【００７１】
ここで、サービング基地局はハンドオーバー判定を行う際に、受信信号パラメータが最適となる隣接セル、例えば、ＲＳＲＰの最大となる隣接セルがハンドオーバートリガー条件を満たしただけで、移動端末がハンドオーバーを要することを決定することができる。
【００７２】
ステップ４０３で、サービング基地局は、少なくとも１つの隣接基地局へハンドオーバー要求を送信する。
【００７３】
本ステップでは、サービング基地局は、隣接基地局へハンドオーバー要求を送信する際に、移動端末のコンテキスト情報、例えば、該移動端末に対応するユーザサービス類型やユーザ識別子などを付加してもよい。これにより、後続のステップで、隣接基地局は該コンテキスト情報に基づいて移動端末の所要リソース量を決定することができる。
【００７４】
ステップ４０４〜４０６で、ハンドオーバー要求を受信した各隣接基地局は、リソースに基づいて自分が移動端末のハンドオーバー要求を受け付けられるかどうかを判断し、移動端末のハンドオーバー要求を受け付けられる場合、該移動端末のためにリソースを予約しておき、ハンドオーバー要求を受け付ける旨の信号をサービング基地局へ送信し、自分の該ハンドオーバー要求に対応するハンドオーバー待ちクロックをスタートし、ステップ４０７を実行し、移動端末のハンドオーバー要求を受け付けられない場合、該隣接基地局の元の操作を維持する。
【００７５】
隣接基地局は、ハンドオーバー要求に含まれている移動端末のコンテキスト情報に基づいて、該移動端末の所要リソース量を決定する。例えば、所定のユーザサービス類型と所要リソース量との対応関係に基づいて決定する。
【００７６】
移動端末の所要リソース量がＣｎであるとすると、隣接基地局は、現時点の基地局の取得可能なリソース量Ｃａと移動端末の所要リソース量Ｃｎとを比較することによって、該ハンドオーバー要求を受け付けるかどうかを決定し、即ち、該移動端末のアクセスを受け付けられるかどうかを決定する。具体的に、Ｃａ＞Ｃｎの場合、この時に隣接基地局が移動端末にサービスを提供できることが表されるため、ハンドオーバー要求を受け付ける。
【００７７】
セルのリソース総量がＣであるとすると、通常、セルのリソース総量は接続された移動端末の消費リソース量Ｃｕｓｅｄと、ハンドオーバー予約リソース量Ｃｈｏと、取得可能なリソース量Ｃａとの和である。セルのリソース総量Ｃが所定の固定量であり、接続された移動端末の消費リソース量Ｃｕｓｅｄが基地局自身にとって既知なものであるため、下記の数式１によって現時点の基地局の取得可能なリソース量Ｃａを算出することができる。
【００７８】
[数式１]
Ｃａ＝Ｃ−Ｃｕｓｅｄ−Ｃｈｏ
ここで、現在のハンドオーバー要求は、基地局が１つの時間間隔内で受信したｎ番目のハンドオーバー要求であるとすると、ハンドオーバー予約リソース量Ｃｈｏは、その前の（ｎ−１）個のハンドオーバー要求に対して予約しておくリソース量の和、即ち
[数式２]
【数１】
2010028816.tif 000003
である。
【００７９】
ここで、Ｃｒｉはｉ番目のハンドオーバー要求に対して予約しておくリソース量である。
【００８０】
数式１と数式２とを組み合わせて、現時点の基地局の取得可能なリソース量Ｃａを下記のように算出することができる。
【００８１】
[数式３]
【数２】
2010028816.tif 000004
ここで、ｎは１より大きい正整数であり、ｉは１以上の正整数である。
【００８２】
それで、ここで現在のハンドオーバー要求を受け付ける条件は、
【数３】
2010028816.tif 000005
である。
【００８３】
また、隣接基地局は、現時点の基地局の取得可能なリソース量Ｃａがセルのリソース総量Ｃに占める割合を決定することによって、該ハンドオーバー要求を受け付けるかどうかを決定するようにしてもよい。例えば、Ｃａ／Ｃ＞ηの場合、ハンドオーバー要求を受け付ける。ここで、ηは隣接基地局の受け付けられる負荷量に基づいて予め設定されたリソース占用割合の閾値である。ηは２０％のようなパーセントの形式であってよい。
【００８４】
上記のいずれの方式で、自分がハンドオーバー要求を受け付けるかどうかを決定しても、隣接基地局は、ハンドオーバー要求を受け付ける旨の信号をサービング基地局へ送信すれば、自分の所定のハンドオーバー待ちクロックをスタートして、時間の計測を開始することで、後続のステップで自分がターゲット基地局または予備基地局であると決定する。
【００８５】
さらに、ここで、ハンドオーバー要求を受け付けることを決定した後、移動端末のためにリソースを予約しておく以外に、該移動端末に専用ランダムアクセスのプリアンブルを割り当てて、ハンドオーバー要求を受け付ける旨の信号に付加して、サービング基地局に送信するようにしてもよい。
【００８６】
ステップ４０７〜４０８で、サービング基地局は、受信されたハンドオーバー要求を受け付ける旨の信号に対応する隣接基地局をハンドオーバー候補基地局とし、ハンドオーバー候補基地局の関連情報を記憶し、ハンドオーバー候補基地局からＲＳＲＰの最大となる基地局をターゲット基地局として選択する。
【００８７】
ここで、ハンドオーバー候補基地局の関連情報は、セル識別子、システム情報、ＲＳＲＰ、ハンドオーバー候補基地局における移動端末の専用プリアンブルなどのような情報であってよい。そして、サービング基地局は、各ハンドオーバー候補基地局をＲＳＲＰの降順に並べて、ＲＳＲＰの最大となるハンドオーバー候補基地局を現在のターゲット基地局とし、それ以外のハンドオーバー候補基地局を予備基地局とするようにしてもよい。ここで、ＲＳＲＰはＲＳＲＱのような受信信号パラメータに取り替えられるようにしてもよい。
【００８８】
本実施例では、ユーザの好みなどのようなルールに基づいて、最適な基地局をターゲット基地局として選択するようにしてもよい。もちろん、受信信号パラメータとユーザの好みとを組み合わせて、ターゲット基地局の選択の根拠とするようにしてもよい。
【００８９】
ステップ４０９で、サービング基地局は、ターゲット基地局のセル識別子が付加されているハンドオーバー指示を移動端末に送信して、該移動端末に対して、ターゲット基地局にアクセスするよう指示する。
【００９０】
この前に受信されたターゲット基地局からのハンドオーバー要求を受け付ける旨の信号に、該移動端末に割り当てられた専用ランダムアクセスのプリアンブルが含まれている場合、このとき、サービング基地局は、ハンドオーバー指示にも該専用ランダムアクセスのプリアンブルを付加する。
【００９１】
このとき、移動端末とネットワーク側との通信が全てサービング基地局にかかわるため、サービング基地局に、移動端末から送信された、または、移動端末の受信しようとする通信データがバッファされている場合、サービング基地局は、移動端末へハンドオーバー指示を送信すると共に、バッファされている通信データを、基地局間のインターフェース、即ちＸ２インターフェースを介してターゲット基地局に送信することで、移動端末とターゲット基地局とのＲＲＣ接続の確立に成功した後、該ターゲット基地局により、上位のアクセスゲートウェイに転送し、または移動端末に送信する。
【００９２】
ステップ４１０〜４１２で、ハンドオーバー候補基地局は、自分のクロックで時間の計測を終了する前に移動端末に対応するハンドオーバー情報を受信したかどうかを判断し、受信した場合、該ハンドオーバー候補基地局は、クロックをストップし、自分がターゲット基地局であると決定し、ステップ４１３を実行し、受信していない場合、該ハンドオーバー候補基地局は、自分が予備基地局であると決定し、自分が移動端末のために予約しておくリソース量を低減し、ステップ４１３を実行する。
【００９３】
本実施例では、サービング基地局のハンドオーバー指示を受信した移動端末は、ターゲット基地局に対してランダムアクセスを開始する。該ハンドオーバー指示に、この前にターゲット基地局が該移動端末に割り当てた専用ランダムアクセスのプリアンブルが付加されている場合、この時、移動端末は、該プリアンブルをターゲット基地局に送信することで、ランダムアクセスを開始する。そのため、ハンドオーバー候補基地局が、自分のクロックで時間の計測を終了する前に、移動端末からの専用ランダムアクセスのプリアンブルを受信した場合は、該ハンドオーバー候補基地局がターゲット基地局であることが表される。
【００９４】
サービング基地局に、移動端末から送信された、または、移動端末の受信しようとする通信データがバッファされている場合、サービング基地局は、ターゲット基地局を選択してから、バッファされている通信データを、ターゲット基地局に送信することで、移動端末がアクセスに成功した後に、ターゲット基地局により、移動端末または上位のアクセスゲートウェイに送信する。それで、ハンドオーバー候補基地局が、自分のクロックで時間の計測を終了する前に、サービング基地局からの通信データを受信した場合も、該ハンドオーバー候補基地局がターゲット基地局であることが表される。
【００９５】
また、本実施例では、サービング基地局は、ターゲット基地局を選択した後、ターゲット基地局として選択される旨のメッセージを直接にターゲット基地局に送信するようにしてもよい。このようなメッセージを受信したハンドオーバー候補基地局は、自分がターゲット基地局であることを決定することができる。
【００９６】
予備基地局にとって、移動端末およびサービング基地局が予備基地局とやりとりすることはないため、ハンドオーバー候補基地局は、自分のクロックで時間の計測を終了するまで、上記のハンドオーバー情報のいずれも受信していない場合、自分が予備基地局であることを判定することができる。
【００９７】
予備基地局には、現時点で移動端末からアクセスすることがないため、この前に該移動端末のために予約しておくリソースを全て保持する必要がなく、該予備基地局の取得可能なリソース量Ｃａを増加するように、予約リソース量を適当に低減することができる。具体的に、現在のハンドオーバー要求は、予備基地局が１つの時間間隔内で受信したｎ番目のハンドオーバー要求であるとすると、該ハンドオーバー要求に対して、移動端末のために予約しておくリソース量は、
[数式４]
Ｃｒｎ＝Ｃｎ／ｗ
となる。
【００９８】
Ｃｒｎは低減後の予約リソース量であり、Ｃｎは予備基地局が上記ステップ４０６で移動端末のために予約しておくリソース量である。ｗは、リソース多重因子であり、あわせてｗ個の移動端末が該基地局を予備基地局とし、該予備基地局の予約リソースを共有することを表す。該基地局が同時にＮ個の移動端末の予備基地局とされ、且つ、これらの移動端末の所要リソースがいずれもＣｎであると、Ｎがｗの整数倍である場合、該基地局がこのＮ個のユーザのために予約しておくリソース量は（Ｎ／ｗ）×Ｃｎであり、Ｎがｗの整数倍でない場合、該基地局がこのＮ個のユーザのために予約しておくリソース量は（Ｎ／ｗ）×Ｃｎ＋Ｃｎである。例を挙げて説明すると、７個の移動端末があり、即ちＮ＝７であり、ｗ＝５であれば、このうちの５個の移動端末は大きさがＣｎである１つのリソースを共有し、他の２つのユーザは大きさがＣｎである１つのリソースを共有する。
【００９９】
ここで、ｗは、現在の無線通信システム内のハンドオーバー失敗率および予備基地局の現在セル負荷に基づいて決定されるようにしてもよい。具体的に、ハンドオーバー失敗率が高いほど、ハンドオーバーに失敗する移動端末が多くなることが表されるため、予備基地局がターゲット基地局として選択される確率が大きくなることで、リソース多重因子ｗが小さくなる。逆に、ハンドオーバー失敗率が低いほど、リソース多重因子ｗが大きくなる。予備基地局の現在セル負荷が大きいほど、該予備基地局のハンドオーバーに使用可能なリソース量が少なくなるため、リソース多重因子ｗが大きくなる。予備基地局の現在セル負荷が小さいほど、リソース多重因子ｗが小さくなり、ハンドオーバーに予約しておくリソース量が多くなる。
【０１００】
該移動端末のために予約しておくリソース量を低減した後、予備基地局内のハンドオーバー予約リソース量Ｃｈｏは、
[数式５]
【数４】
2010028816.tif 000006
に更新された。
【０１０１】
ここからわかるように、ハンドオーバー予約リソース量が低減されているため、数式１から、該予備基地局の現時点で取得可能なリソース量Ｃａが増加していることがわかる。それで、予備基地局が移動端末のアクセスにさらに十分なリソースを提供できるため、本実施例では、移動端末のハンドオーバー成功率を効果的に向上させることができる。
【０１０２】
ステップ４１３〜４１４で、移動端末は、現在のターゲット基地局に対してランダムアクセスを行って、ランダムアクセスに成功したかどうかを判断し、成功した場合、ステップ４１７を実行し、成功していない場合、ステップ４１５を実行する。
【０１０３】
ステップ４１５〜４１６で、サービング基地局は、選択されていない予備基地局から、ＲＳＲＰの最大となる基地局を現在のターゲット基地局として選択し、ターゲット基地局のセル識別子が付加されているハンドオーバー指示を移動端末へ送信して、該移動端末に対して、現在のターゲット基地局にアクセスするよう指示し、ステップ４１３に戻る。
【０１０４】
移動端末は、この前のターゲット基地局へのランダムアクセスに失敗した場合、サービング基地局とのＲＲＣ接続を再確立する。サービング基地局は、自身に移動端末のユーザ情報が記憶されているため、該移動端末がハンドオーバー失敗で戻ると判定し、該ＲＲＣ接続を受け付ける。その後、サービング基地局は、ターゲット基地局を再選択して、ハンドオーバー指示を介して新しいターゲット基地局情報を直接に移動端末に通知することで、移動端末の自ら選択したターゲット基地局が予備基地局である確率が比較的に低くて予備基地局の予約リソースが無駄になるということを避ける。本ステップでは、新しいターゲット基地局情報は、該ターゲット基地局のセル識別子を含み、専用ランダムアクセスのプリアンブルなども含むようにしてよい。
【０１０５】
上記ステップ４０７でサービング基地局がハンドオーバー候補基地局の関連情報を記憶したため、ここで、サービング基地局は、自分の記憶から、ターゲット基地局として選択されておらず、且つＲＳＲＰの最大となる予備基地局を現在のターゲット基地局として選択するだけでよい。ここからわかるように、ステップ４０７の記憶操作により、サービング基地局がハンドオーバー失敗に対する回復過程中に移動端末に測定を実行するよう通知する必要はなく、ハンドオーバー要求情報をハンドオーバー候補基地局へ送信する必要もなく、ターゲット基地局を再選択する操作をより高速に実行することができる。
【０１０６】
もちろん、ステップ４０１で移動端末が他の受信信号パラメータを報告しており、且つステップ４０７で記憶された関連情報にも他の受信信号パラメータが含まれる場合、ここで、ＲＳＲＰに基づいてターゲット基地局を選択することが必要ではない。要するに、サービング基地局は、受信信号パラメータに基づいて、移動端末にとって受信信号が最適となる基地局をターゲット基地局として選択する。
【０１０７】
このとき、ターゲット基地局として選択される予備基地局は、この前に低減された予約リソースを調整する必要がない。その理由として、上記の数式４および数式５からわかるように、本実施例では、予備基地局内の１つの予約リソースが複数の移動端末で多重され、予備基地局がターゲット基地局として選択され、且つ移動端末がアクセスに成功した後、該予約リソースを該移動端末に対するサービスに利用する。このとき、該予備基地局がまた他の移動端末のターゲット基地局とされる場合、他の移動端末からアクセスされるように、自分のリソースを調整するようにしてもよい。
【０１０８】
ステップ４１７で、現在のターゲット基地局または移動端末は、ランダムアクセスに成功する旨をサービング基地局に通知し、サービング基地局は、該移動端末のために予約しておくリソースを解放するよう、現在のターゲット基地局以外のハンドオーバー候補基地局に通知する。
【０１０９】
移動端末が現在のターゲット基地局へのアクセスに成功した後、該移動端末またはターゲット基地局は、移動端末がハンドオーバーに成功したことをサービング基地局に通知する。この操作は、サービング基地局が、ハンドオーバーに成功した移動端末との無線接続を解除でき、且つ他の予備基地局が該移動端末のために予約しておくリソースを他用途のために解放できることを主な目的とする。ここで、サービング基地局が、予約リソースを解放するよう自発的に予備基地局に通知する方式を採用するようにしてもよく、予備基地局が、リソースを解放するかどうかを定期的にサービング基地局に問い合わせる方式を採用するようにしてもよい。
【０１１０】
ここまで、本実施例に係るハンドオーバー処理プロセスが完了する。
【０１１１】
上記処理プロセスからわかるように、本実施例では、ハンドオーバー候補基地局は、自分がターゲット基地局であるか、それとも予備基地局であるかを決定することができ、そして、予備基地局である場合、移動端末のために準備しておく予約リソース量を低減する。これにより、移動端末のハンドオーバー開始からハンドオーバー成功までの時間内で、予備基地局は、自分への移動端末のハンドオーバーのために十分に準備しておきながら、取得可能なリソース量をなるべく増大して、他の移動端末のアクセスに保障を提供する。そのため、従来のハンドオーバー過程に比べて、本実施例のハンドオーバー成功率を効果的に向上させることができる。
【０１１２】
また、本実施例では、移動端末に対応するハンドオーバー情報を、ハンドオーバー候補基地局が自分の役目を決定する根拠とする。該ハンドオーバー情報は、移動端末からの専用ランダムアクセスのプリアンブル、サービング基地局からの通信データ、サービング基地局からの、ターゲット基地局として選択される旨のメッセージのいずれか１つまたは任意の組み合わせを含むようにしてもよい。これらの形式のハンドオーバー情報は、ハンドオーバー過程中によくあり、実現が簡単であり、操作性がより高い。
【０１１３】
ハンドオーバー過程中のリソース使用率をさらに向上させ、予備基地局の予約リソース量をさらに減少するために、本実施例では、移動端末のサービス類型に基づいて予備基地局の最大数を予め設定して、表１のような形式でサービング基地局に記憶するようにしてもよい。
【０１１４】
【表１】
2010028816.tif 000007
【０１１５】
予備基地局の最大数が予め設定された場合、図４のステップ４０１の前に、移動端末とサービング基地局との間のＲＲＣ接続の確立に成功した後、サービング基地局は、ＲＲＣ接続再配置シグナリングを移動端末へ送信することで、無線ベアラに接続して移動端末のサービス類型を取得する。移動端末は、受信されたＲＲＣ接続再配置シグナリングに基づいて自分の配置を完成し、自分のサービス類型情報をサービング基地局に報告し、配置完成の旨を表明する。移動端末のサービス類型を取得したサービング基地局は、所定のサービス類型と予備基地局の最大数との対応関係から、該サービス類型に対応する予備基地局の最大数を検索して、移動端末のユーザ情報と共にサービング基地局に記憶する。
【０１１６】
上記設定されたものが予備基地局の最大数（Ｎｍａｘと仮定）であるため、１つのターゲット基地局を加えると、ステップ４０３で、サービング基地局はハンドオーバー要求を（Ｎｍａｘ＋１）個の隣接基地局へ送信することになる。具体的に、受信信号パラメータがＲＳＲＰであることを例として、ステップ４０２のハンドオーバー判定は以下のような操作を含む。
【０１１７】
ステップ４０２１で、サービング基地局は、移動端末から報告された隣接セルのＲＳＲＰを降順に並べて、選択された隣接基地局数Ｎを０に設定する。
【０１１８】
ステップ４０２２で、ＲＳＲＰの最大となる隣接セルがハンドオーバートリガー条件を満たしたかどうかを判断し（例えば、同一周波数のセルに対して、現在隣接セルのＲＳＲＰがサービングセルのＲＳＲＰより大きい分が所定のＲＳＲＰの差の閾値を越えるかどうかを判断）、満たした場合、移動端末がハンドオーバーを要することを決定し、該受信信号パラメータが最適となる隣接セルの基地局を選択し、選択された隣接基地局数Ｎに１を加え、ステップ４０２３を実行し、満たしていない場合、本ハンドオーバー処理プロセスを終了する。
【０１１９】
ステップ４０２３で、選択された隣接基地局数Ｎが予備基地局の最大数Ｎｍａｘと１との和より小さいかどうかを判断し、小さい場合、ステップ４０２４を実行し、小さくない場合、ステップ４０３を実行する。
【０１２０】
ステップ４０２４で、移動端末から報告されたあらゆる隣接セルの処理が完了したかどうかを判断し、完了した場合、ステップ４０３を実行し、完了していない場合、ステップ４０２５を実行する。
【０１２１】
ステップ４０２５で、次の隣接セルを現在隣接セルとし、現在隣接セルがハンドオーバートリガー条件を満たしたかどうかを判断し、満たした場合、該隣接セルに対応する隣接基地局を選択し、選択された隣接基地局数に１を加え、ステップ４０２３に戻り、満たしていない場合、ステップ４０２４に戻る。
【０１２２】
それに応じて、ステップ４０３で、サービング基地局は、選択された隣接セルに対応する隣接基地局へハンドオーバー要求を送信する。
【０１２３】
上記の予備基地局の最大数が予め設定された場合で、サービング基地局は、移動端末のサービス類型に基づいて、ハンドオーバー要求を選択的に隣接基地局へ送信する。予備基地局数がサービス類型にかかわるため、予備基地局およびその予約しておくリソースは、移動端末のサービス要求をよく満たせる以外に、予備基地局が少なすぎることによるハンドオーバー成功率の低下を避けながら、予備基地局が多すぎることによるリソースの浪費も避けることができる。
【０１２４】
図５は本実施例に係るサービング基地局の構成を示す。図５を参照すると、該サービング基地局は、通信ユニットと、意思決定ユニットと、を含む。通信ユニットは、隣接基地局とやりとりし、移動端末のアクセスを受け付けられる隣接基地局情報を意思決定ユニットに通知し、意思決定ユニットからのターゲット基地局情報を移動端末に送信する。意思決定ユニットは、移動端末のハンドオーバー要求を受け付けられる隣接基地局からターゲット基地局を選択し、ターゲット基地局情報を通信ユニットに通知する。
【０１２５】
サービング基地局は、ハンドオーバー候補基地局の関連情報を記憶する記憶ユニットをさらに含む。
【０１２６】
意思決定ユニットは、制御モジュールと、選択モジュールと、を含む。制御モジュールは、少なくとも１つの隣接基地局に対して、ハンドオーバー要求を生成し、通信ユニットに対して、対応の隣接基地局へのハンドオーバー要求の送信を指示し、通信ユニットからの、隣接基地局のハンドオーバー要求を受け付ける旨の信号を受信し、ハンドオーバー要求を受け付ける旨の信号に対応する隣接基地局をハンドオーバー候補基地局とし、ハンドオーバー候補基地局の関連情報を記憶ユニットに送信し、ターゲット基地局を選択するよう選択モジュールに通知し、選択モジュールからのターゲット基地局のセル識別子のようなターゲット基地局情報を受信し、ターゲット基地局情報が付加されているハンドオーバー指示を生成し、通信ユニットに対して、移動端末への該ハンドオーバー指示の送信を指示し、移動端末がハンドオーバーに失敗したことが決定された後、ターゲット基地局を再選択するよう選択モジュールに通知する。ターゲット基地局が移動端末に専用ランダムアクセスのプリアンブルを割り当てた場合、上記のハンドオーバー指示に該専用ランダムアクセスのプリアンブルも含まれる。
【０１２７】
選択モジュールは、ターゲット基地局を選択する旨の制御モジュールからの通知を受信した後、記憶ユニットからハンドオーバー候補基地局の関連情報を読み取り、受信信号パラメータおよび／またはユーザの好みに基づいて、ハンドオーバー候補基地局からターゲット基地局を選択し、それ以外のハンドオーバー候補基地局を予備基地局とし、ターゲット基地局を再選択する旨の制御モジュールからの通知を受信した後、受信信号パラメータおよび／またはユーザの好みに基づいて、選択されていないハンドオーバー候補基地局からターゲット基地局を再選択し、ターゲット基地局を選択した後、ターゲット基地局情報を制御モジュールに送信する。
【０１２８】
制御モジュールは、さらに、測定配置情報を生成し、通信ユニットに対して、移動端末への該測定配置情報の送信を指示し、通信ユニットからの、移動端末から報告された隣接セル受信信号パラメータを受信し、隣接セル受信信号パラメータに基づいてハンドオーバー判定を行い、ハンドオーバートリガー条件を満たしたとき、該移動端末がハンドオーバーを要することを決定し、少なくとも１つの隣接基地局に対してハンドオーバー要求を生成する操作を引き続き実行する。また、制御モジュールは、さらに、通信ユニットから転送された隣接基地局が前記移動端末に割り当てた専用ランダムアクセスのプリアンブルを受信して、前記ハンドオーバー候補基地局情報の１つとして、記憶ユニットに記憶する。
【０１２９】
そして、記憶ユニットは、さらに、移動端末から送信された、または、移動端末の受信しようとする通信データをバッファする。このように、制御モジュールは、ターゲット基地局を選択した後、記憶ユニットから該通信データを読み取り、通信ユニットに対して、ターゲット基地局への該通信データの送信を指示する。通信ユニットは、制御モジュールから送信された通信データを受信して、ターゲット基地局に送信する。
【０１３０】
また、制御モジュールが、ターゲット基地局を選択した後、ターゲット基地局として選択される旨のメッセージを生成して、通信ユニットに送信し、通信ユニットが、該メッセージをターゲット基地局に送信するようにしてもよい。
【０１３１】
制御モジュールは、移動端末がハンドオーバーに成功したことを決定した後、予約リソースを解放する旨の通知を生成し、通信ユニットに対して、ターゲット基地局以外のハンドオーバー候補基地局への該通知の送信を指示するようにしてもよい。通信ユニットは、制御モジュールの指示で、該移動端末のために予約しておくリソースを解放するようターゲット基地局以外のハンドオーバー候補基地局に通知する。
【０１３２】
本実施例に係るサービング基地局は、制御モジュールからの移動端末のサービス類型情報を受信し、記憶ユニットからサービス類型と予備基地局の最大数との対応関係を読み取り、該移動端末に対応する予備基地局の最大数を決定して、制御モジュールに送信するパラメータ設定ユニットをさらに含む。記憶ユニットは、さらに、所定のサービス類型と予備基地局の最大数との対応関係、および移動端末に対応する予備基地局の最大数を記憶する。制御モジュールは、ＲＲＣ接続再配置シグナリングを解析することで、移動端末のサービス類型情報を決定し、パラメータ設定ユニットからの、移動端末に対応する予備基地局の最大数を受信し、予備基地局の最大数と１との和に等しい個数の隣接基地局へハンドオーバー要求を送信するよう通信ユニットに通知する。
【０１３３】
以上は、本実施例に係るサービング基地局の構成であり、図６は本実施例に係る隣接基地局の構成を示す。図６を参照すると、該隣接基地局は、通信ユニットと、クロックユニットと、意思決定ユニットと、を含む。通信ユニットは、外部からの移動端末に対応するハンドオーバー情報を受信する。クロックユニットは、所定のハンドオーバー待ち時間に従って時間の計測を行い、時間の計測が完了したとき、意思決定ユニットに通知する。意思決定ユニットは、所属する隣接基地局が所定のハンドオーバー待ち時間内に移動端末に対応するハンドオーバー情報を受信したかどうかを決定し、受信した場合、該隣接基地局がターゲット基地局であると判定し、移動端末と協力して自分にハンドオーバーするよう通信ユニットに通知し、受信していない場合、該隣接基地局が予備基地局であると判定し、該移動端末のために予約しておくリソース量を低減する。
【０１３４】
本実施例に係る通信ユニットは、さらに、サービング基地局からのハンドオーバー要求を受信し、該ハンドオーバー要求を意思決定ユニットに転送し、意思決定ユニットの指示で、所属する隣接基地局が移動端末のハンドオーバー要求を受け付けられる旨の通知をサービング基地局に送信する。
【０１３５】
それに応じて、意思決定ユニットは、制御モジュールと、リソース管理モジュールと、を含む。制御モジュールは、通信ユニットから転送されたハンドオーバー要求を受信し、リソース管理モジュールから所属する隣接基地局のリソース量を取得し、該ハンドオーバー要求および取得された隣接基地局のリソース量に基づいて、該移動端末のハンドオーバー要求を受け付けられることを決定した後、該移動端末のためにリソースを予約しておくようリソース管理モジュールに通知し、通信ユニットに対して、ハンドオーバー要求を受け付ける旨の信号をサービング基地局に送信するよう指示し、且つ、クロックユニットに対して、該ハンドオーバー要求に対応するクロックをスタートするよう指示し、該ハンドオーバー要求に対応するクロックで時間の計測を終了する前に、制御モジュールが移動端末に対応するハンドオーバー情報を受信した場合、所属する隣接基地局がターゲット基地局であると判定し、移動端末のハンドオーバーに協力するよう通信ユニットに通知し、制御モジュールが移動端末に対応するハンドオーバー情報を受信していない場合、所属する隣接基地局が予備基地局であると判定し、該移動端末のために予約しておくリソース量を低減するようリソース管理モジュールに通知する。リソース管理モジュールは、所属する隣接基地局のリソース量を制御モジュールに提供し、制御モジュールの通知で、移動端末のためにリソースを予約しておき、移動端末のために予約しておくリソース量を低減する。
【０１３６】
本実施例に係る隣接基地局は、所属する隣接基地局の現在セル負荷を計算し、計算結果を制御モジュールに送信する負荷計算ユニットをさらに含む。通信ユニットは、さらに、外部からのハンドオーバー失敗率を受信して、制御モジュールに転送する。制御モジュールは、受信した現在セル負荷およびハンドオーバー失敗率に基づいて、リソース多重因子を決定して、リソース管理モジュールに送信する。リソース管理モジュールは、予約しておくリソース量を低減する旨の制御モジュールからの通知を受信した後、該移動端末のために予約しておくリソース量を、元の予約リソース量とリソース多重因子との商に調整する。
【０１３７】
さらに、制御モジュールは、該移動端末のハンドオーバー要求を受け付けられることを決定した後、該移動端末に専用ランダムアクセスのプリアンブルを割り当てて、通信ユニットに送信する。通信ユニットは、所属する隣接基地局がハンドオーバー要求を受け付けられる旨の通知に該専用ランダムアクセスのプリアンブルを付加して、サービング基地局に送信する。
【０１３８】
また、制御モジュールは、所属する隣接基地局がターゲット基地局であると決定した後、移動端末が該隣接基地局へのアクセスに成功したことを決定する場合、通信ユニットに対して、ランダムアクセスに成功する旨をサービング基地局に通知するよう指示する。そして、通信モジュールは、さらに、移動端末のために予約しておくリソースを解放する旨のサービング基地局からの通知を受信して、意思決定ユニット内の制御モジュールに転送する。制御モジュールは、移動端末のために予約しておくリソースを解放するようリソース管理モジュールに通知する。
【０１３９】
上記のサービング基地局および予備基地局は、従来の構成に対する変化が少なく、実現が便利であり、改善の複雑度が比較的に低い。
【０１４０】
図７は従来のハンドオーバー処理方法と本実施例の図４のハンドオーバー処理方法とのハンドオーバー成功率のシミュレーション図である。シミュレーション過程では、リソース多重因子が５であり、且つ全てのユーザのサービス類型が同じであると仮定する。また、星印（＊）の線は従来のＬＴＥにおけるハンドオーバー処理方法のハンドオーバー成功率を表し、丸印の線は本実施例の図４のハンドオーバー処理方法のハンドオーバー成功率を表す。図７からわかるように、本実施例の図４のハンドオーバー処理方法を採用する場合、ハンドオーバー成功率は従来方法より約２０％向上している。
【０１４１】
図８は従来のハンドオーバー処理方法と本実施例に係る予備基地局数への制限を考慮したハンドオーバー処理方法とのハンドオーバー成功率のシミュレーション図を示す。ここで、シミュレーションパラメータおよび線の意味は図７と同様である。図８からわかるように、予備基地局数への制限を考慮した場合には、特に移動端末の数が比較的に多いとき、本実施例で得られたハンドオーバー成功率が、従来のＬＴＥにおけるハンドオーバー処理方法のハンドオーバー成功率から向上する程度がさらに大きい。
【０１４２】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2010028816.tif 000008
【図２】
2010028816.tif 000009
【図３】
2010028816.tif 000010
【図４】
2010028816.tif 000011
【図５】
2010028816.tif 000012
【図６】
2010028816.tif 000013
【図７】
2010028816.tif 000014
【図８】
2010028816.tif 000015